(57)【要約】【課題】開発費用を削減することのできる給湯器用リモコン装置を提供する。【解決手段】それぞれに共通スイッチ１３１ａ〜１３４ａ又は専用スイッチ２１ａ〜２４ａが設けられ、給湯器本体２００を操作可能な共通ボタン１３１〜１３４及び専用ボタン２１〜２４を備えた給湯器用リモコン装置１００において、専用ボタン２１〜２４の専用スイッチ２１ａ〜２４ａを含む専用基板２０と、各共通スイッチ１３１ａ〜１３４ａ及び各専用スイッチ２１ａ〜２４ａと接続し、各共通ボタン１３１〜１３４及び各専用ボタン２１〜２４の操作に基づき給湯器本体２００を作動させる共通基板１０とを備える。【選択図】図１
2008261597.tif 000002
【特許請求の範囲】
【請求項１】
それぞれにスイッチが設けられ、給湯器本体を操作可能な複数の操作ボタンを備えた給湯器用リモコン装置において、
所定の操作ボタンのスイッチを含む専用ユニットと、
各スイッチと接続し、各操作ボタンの操作に基づき給湯器本体を作動させる共通ユニットとを備える
ことを特徴とする給湯器用リモコン装置。
【請求項２】
前記所定の操作ボタンのスイッチと共通ユニットとを、２本以下のケーブルを用いて接続する
ことを特徴とする請求項１に記載の給湯器用リモコン装置。
【請求項３】
前記所定の操作ボタンのスイッチと共通ユニットとを、1本のケーブルと導電性の第１筐体とを用いて接続する
ことを特徴とする請求項２に記載の給湯器用リモコン装置。
【請求項４】
前記所定の操作ボタンのスイッチと共通ユニットとを、第１筐体と該第１筐体と電気絶縁された導電性の第２筐体とを用いて接続する
ことを特徴とする請求項３に記載の給湯器用リモコン装置。
【請求項５】
前記所定の操作ボタンのスイッチと共通ユニットとを、コネクタを用いて接続する
ことを特徴とする請求項１又は２に記載の給湯器用リモコン装置。
【請求項６】
専用ユニットが前記所定の操作ボタンのスイッチごとのフレキシブルケーブルから構成されており、前記所定の操作ボタンのスイッチと共通ユニットとを、該フレキシブルケーブルを用いて接続する
ことを特徴とする請求項１に記載の給湯器用リモコン装置。
【発明の詳細な説明】
【技術分野】
【０００１】
本発明は、例えば浴室や台所等の給湯を遠隔操作する給湯器用リモコン装置に関するものである。
【背景技術】
【０００２】
従来、この種の給湯器用リモコン装置として、メイン基板に導電性金属ケースを搭載し、導電性金属ケース内に、ＦＭ文字多重放送の受信が可能であって金属シールドカバーで覆われたチューナーモジュールが実装されたチューナー基板を装着するようにしたものが知られている（例えば特許文献１参照。）。
【特許文献１】特開２００６−１８３９５７号公報
【発明の開示】
【発明が解決しようとする課題】
【０００３】
しかしながら、給湯器用リモコン装置には、同一機能であっても、台所用、風呂用のように用途や目的が異なるために、ケースの大きさ、形状等のケースデザインが異なるものやボタンの数、配置等が異なるものが存在し、従来の給湯器用リモコン装置の基板はケースデザインやボタンの数、配置等の影響を受けるので、それぞれに個別の基板を開発していた。そのため、ケースデザインやボタンの数、配置等が異なる給湯器用リモコン装置を開発する度に基板の設計費や初期費等が必要になり、開発費用が高額になるという問題点があった。
【０００４】
本発明は前記問題点に鑑みてなされたものであり、その目的とするところは、開発費用を削減することのできる給湯器用リモコン装置を提供することにある。
【課題を解決するための手段】
【０００５】
本発明は前記目的を達成するために、それぞれにスイッチが設けられ、給湯器本体を操作可能な複数の操作ボタンを備えた給湯器用リモコン装置において、所定の操作ボタンのスイッチを含む専用ユニットと、各スイッチと接続し、各操作ボタンの操作に基づき給湯器本体を作動させる共通ユニットとを備える給湯器用リモコン装置を提案する。
【０００６】
この給湯器用リモコン装置によれば、所定の操作ボタンのスイッチが専用ユニットに含まれるので、所定の操作ボタンの数や配置を変更する場合には専用ユニットを変更すればよい。また、各スイッチと接続する共通ユニットによって、各操作ボタンの操作に基づき給湯器本体が作動するので、共通ユニットはケースデザインや所定の操作ボタンの数、配置の影響を受けない。
【発明の効果】
【０００７】
本発明によれば、所定の操作ボタンのスイッチが専用ユニットに含まれるので、所定の操作ボタンの数や配置を変更する場合には専用ユニットを変更すればよいから、専用ユニットの設計費や初期費等のみが必要となり、従来の基板と比較して専用ユニットの開発費用を削減することができる。また、各スイッチと接続する共通ユニットによって、各操作ボタンの操作に基づき給湯器本体が作動するので、共通ユニットはケースデザインや所定の操作ボタンの数、配置の影響を受けないから、同一機能である限り共通ユニットを変更する必要がなく、機能ごとに共通ユニットを共通化することができ、共通ユニットの開発費用を削減することができる。
【発明を実施するための最良の形態】
【０００８】
図１乃至図３は本発明の第１実施形態を示すもので、図１は給湯システムの概略構成図、図２は図１に示した給湯器用リモコン装置の正面図、図３は共通基板と専用基板との接続を説明する概略構成図である。
【０００９】
図１に示すように、給湯システムは、給湯器用リモコン装置１００と、給湯器本体２００とから構成されており、給湯器用リモコン装置１００と給湯器本体２００とは、互いに有線又は無線で接続されている。
【００１０】
給湯器用リモコン装置１００は、給湯器本体２００を作動させる共通基板１０と、後述の専用ボタンのスイッチ（以下、専用スイッチという）を含む専用基板２０とを備えており、共通基板１０は、制御部１１、表示部１２、操作部１３、電源部１４、通信部１５、及び音声制御部１６を備えていている。これにより、専用ボタンの数や配置を変更する場合には専用基板２０を変更すればよい。
【００１１】
制御部１１は、給湯器用リモコン装置１００全体を制御するためのものであり、表示部１２、操作部１３、通信部１５、音声制御部１６、及び後述のスイッチ基板２０が接続されている。また、制御部１１はＣＰＵ及びＲＡＭ、ＲＯＭ等のメモリを備えた周知のコンピュータからなり、自己のメモリ内に格納されるプログラムと、操作部１３及び後述のスイッチ基板２０から入力される信号と、通信部１５から入力されるデータとに基づいて、制御信号又はデータを出力し、給湯器本体２００を作動させている。
【００１２】
図２に示すように、表示部１２は、給湯器用リモコン装置１００の中央上部に設けられており、制御部１１から入力される制御信号及びデータに基づいて、給湯温度、タンク湯量、設定温度、現在時刻等の情報を表示し、又は消去している。
【００１３】
操作部１３は、風呂用や台所用のような用途や目的を問わず同一機能の給湯器用リモコン装置１００に共通して設けられる共通ボタン１３１〜１３４のスイッチ（以下、共通スイッチという）１３１ａ〜１３４ａが接続されており、利用者によって共通ボタン１３１〜１３４が押され、共通スイッチ１３１ａ〜１３４ａがオンのときに、それぞれのオン信号を制御部１１に出力している。制御部１１は、入力されるそれぞれのオン信号から共通ボタン１３１〜１３４の操作状態を検知している。
【００１４】
電源部１４は、給湯器用リモコン装置１００の外部にある電源（図示省略）から給湯器用リモコン装置１００全体に電力を供給している。
【００１５】
通信部１５は、給湯器本体２００又は他の機器、例えば別の給湯器用リモコン装置と通信するためのものであり、制御部１１から入力された制御信号に基づいて、給湯器本体２００又は他の機器にデータを送信し、給湯器本体２００又は他の機器からデータを受信して制御部１１に出力している。
【００１６】
音声制御部１６は、マイク１６ａ及びスピーカ１６ｂを介して他の機器の利用者と通話をするためのものであり、制御部１１から入力された制御信号に基づいて、マイク１６ａから入力された音声に基づく音声データを送信し、音声データを受信して音声をスピーカ１６ｂに出力している。
【００１７】
図２に示したように、例えば風呂場に設置される給湯器用リモコン装置１００のみに設けられる専用ボタン２１〜２４において、専用基板２０は、利用者によって専用ボタン２１〜２４が押され、後述の専用スイッチがオンのときに、それぞれのオン信号を制御部１１に出力している。
【００１８】
より詳細には、図３に示すように、専用基板２０は、専用スイッチ２１ａ〜２４ａと、専用スイッチ２１ａ〜２４ａのそれぞれの抵抗ｒ１〜ｒ４とを備えており、専用スイッチ２１ａ〜２４ａはそれぞれケーブルを用いて共通基板１０の制御部１１と接続している。
【００１９】
制御部１１は、入力されるそれぞれの電圧をＡ／Ｄ（アナログ／デジタル）変換し、変換した値をそれぞれの閾値と比較して専用スイッチ２１ａ〜２４ａのオンオフを判定し、専用ボタン２１〜２４の操作状態を検知している。なお、それぞれの閾値は、電源電圧（図３のＶＣＣ）と抵抗Ｒ及び抵抗ｒ１〜ｒ４とによる理論値に許容誤差を考慮して決定する。また、制御部１１は、前述の共通ボタン１３１〜１３４の操作と、このようにして検知した専用ボタン２１〜２４の操作とに基づき給湯器本体２００を作動させている。これにより、共通基板１０はケースデザインや専用ボタン２１〜２４の数、配置の影響を受けない。
【００２０】
本実施形態では、４つの専用ボタン２１〜２４を設けるようにしたが、これに限定されず、専用ボタンの数は１つであってもよいし、５つ以上であってもよい。
【００２１】
このように、本実施形態によれば、専用スイッチ２１ａ〜２４ａが専用基板２０に含まれるので、専用ボタン２１〜２４の数や配置を変更する場合には専用基板２０を変更すればよいから、専用基板２０の設計費や初期費等のみが必要となり、従来の基板と比較して専用基板２０の開発費用を削減することができる。また、共通スイッチ１３１ａ〜１３４ａ及び専用スイッチ２１ａ〜２４ａと接続する共通基板１０によって、共通ボタン１３１〜１３４及び専用ボタン２１〜２４の操作に基づき給湯器本体２００が作動するので、共通基板１０はケースデザインや専用ボタン２１〜２４の数、配置の影響を受けないから、同一機能である限り共通基板１０を変更する必要がなく、機能ごとに共通基板１０を共通化することができ、共通基板１０の開発費用を削減することができる。
【００２２】
次に、図４乃至図６を参照して本発明の第２実施形態を説明する。
【００２３】
図４は共通基板と専用基板との接続を説明する概略構成図、図５は共通基板と専用基板との他の接続例を説明する概略構成図、図６は共通基板と専用基板との他の接続例を説明する概略構成図である。
【００２４】
第２実施形態と第１実施形態との相違点は、専用スイッチ２１ａ〜２４ａと共通基板１０Ａとを２本以下のケーブルを用いて接続するようにしたことである。なお、前述した第１実施形態と同一構成部分は同一符号をもって表し、その説明を省略する。
【００２５】
すなわち、専用基板２０Ａの専用スイッチ２１ａ〜２４ａは、それぞれ接続していたケーブルのうち、接地（図４のＧＮＤ）側のケーブルを共通化して１本のケーブルにし、共通基板１０Ａの制御部１１Ａと接続するケーブルを共通化して１本のケーブルにし、合計２本のケーブルを用いて接続している。これにより、専用ボタン２１〜２４の数にかかわらずケーブルの本数は２本となる。
【００２６】
なお、制御部１１Ａは入力される電圧に基づいて専用ボタン２１〜２４の操作状態を検知しているので、専用スイッチ２１ａ〜２４ａオンの組み合わせにより異なる入力電圧を制御部１１Ａが識別できるように、抵抗Ｒ及び抵抗ｒ１〜ｒ４の抵抗値を設計するとともに、第１実施形態の抵抗より許容誤差の低い（精度の良い）抵抗を使用する必要がある。
【００２７】
本実施形態では、専用スイッチ２１ａ〜２４ａと共通基板１０Ａの制御部１１ａとを２本のケーブルを用いて接続するようにしたが、これに限定されず、ケーブルは１本以下であってもよい。
【００２８】
例えば、図５に示すように、接地（図５のＧＮＤ）側のケーブルに代えて、専用基板２０Ａを覆う導電性のケース３１の一部をねじで共通基板１０Ａに接続するようにしてもよい。これにより、専用ボタン２１〜２４の数にかかわらずケーブルの本数は１本となる。
【００２９】
また、図６に示すように、共通基板１０Ａの制御部１１Ａと接続するケーブルに代えて、ケース３１と電気絶縁されたケース３２を用いて接続するようにしてもよい。これにより、専用ボタン２１〜２４の数にかかわらずケーブルを用いる必要がない。
【００３０】
このように、本実施形態によれば、専用スイッチ２１ａ〜２４ａと共通基板１０Ａとが２本のケーブルを用いて接続されるので、専用ボタン２１〜２４の数にかかわらずケーブルの本数は２本となるから、専用ボタン２１〜２４の数を変更する場合に、ケーブルの材料費を削減することができるとともに、専用スイッチ２１ａ〜２４ａと共通基板１０Ａとの接続部の設計を変更する必要がなく、更に開発費用を削減することができる。
【００３１】
また、専用スイッチ２１ａ〜２４ａと共通基板１０Ａとが１本のケーブルと導電性のケース３１とを用いて接続されるので、専用ボタン２１〜２４の数にかかわらずケーブルの本数は１本となるから、同様に、更に開発費用を削減することができる。
【００３２】
さらに、専用スイッチ２１ａ〜２４ａと共通基板１０Ａとが導電性のケース３１とケース３１と電気絶縁された導電性のケース３２とを用いて接続されるので、専用ボタン２１〜２４の数にかかわらずケーブルを用いる必要がないから、同様に、更に開発費用を削減することができる。
【００３３】
次に、図７又は図８を参照して本発明の第３実施形態を説明する。
【００３４】
図７は共通基板と専用基板との接続を説明する概略構成図、図８は共通基板と専用基板との他の接続例を説明する概略構成図である。
【００３５】
第３実施形態と第１実施形態との相違点は、専用スイッチ２１ａ〜２４ａと共通基板１０Ｂとをコネクタを用いて接続するようにしたことである。なお、前述した第１実施形態と同一構成部分は同一符号をもって表し、その説明を省略する。
【００３６】
すなわち、共通基板１０Ｂはコネクタのオス１０ａを備えており、コネクタのオス１０ａを専用基板２０Ｂが備えるコネクタのメス（図示省略）に挿入して、専用スイッチ２１ａ〜２４ａと共通基板１０Ｂの制御部１１Ｂとを接続している。これにより、共通基板１０Ｂと専用基板２０Ｂとの着脱が容易になる。
【００３７】
本実施形態では、共通基板１０Ｂにコネクタのオス１０ａを設け、専用基板２０Ｂにコネクタのメス（図示省略）を設けるようにしたが、これに限定されず、コネクタのオスとメスが逆であってもよい。
【００３８】
また、図８に示すように、第２実施形態と同様に、それぞれ接続していたケーブルのうち、接地（図８のＧＮＤ）側のケーブルを共通化し、共通基板１０Bの制御部１１Ｂと接続するケーブルを共通化した上で、コネクタを用いて専用スイッチ２１ａ〜２４ａと共通基板１０Ｂの制御部１１Ｂとを接続するようにしてもよい。
【００３９】
このように、本実施形態によれば、専用スイッチ２１ａ〜２４ａと共通基板１０Ｂとがコネクタを用いて接続されるので、共通基板１０Ｂと専用基板２０Ｂとの着脱が容易になるから、専用スイッチ２１ａ〜２４ａと共通基板１０Ａとを接続する製造費を削減することができ、更に開発費用を削減することができる。
【００４０】
次に、図９を参照して本発明の第４実施形態を説明する。
【００４１】
図９は共通基板と専用基板との接続を説明する概略構成図である。
【００４２】
第４実施形態と第１実施形態との相違点は、専用基板２０Ｃが専用スイッチ２１ａ〜２４ａごとのフレキシブルケーブル２０ａ〜２０ｄから構成されるようにしたことである。なお、前述した第１実施形態と同一構成部分は同一符号をもって表し、その説明を省略する。
【００４３】
すなわち、専用基板２０Ｃはフレキシブルケーブル２０ａ〜２０ｄから構成されており、フレキシブルケーブル２０ａは専用スイッチ２１ａ及び抵抗ｒ１を、フレキシブルケーブル２０ｂは専用スイッチ２２ａ及び抵抗ｒ２を、フレキシブルケーブル２０ｃは専用スイッチ２３ａ及び抵抗ｒ３を、フレキシブルケーブル２０ｄは専用スイッチ２４ａ及び抵抗ｒ４をそれぞれ備えている。専用スイッチ２１ａ〜２４ａはそれぞれフレキシブルケーブル２０ａ〜２０ｄを用いて共通基板１０の制御部１１と接続している。これにより、専用基板２０Ｃが変形可能になる。
【００４４】
このように、本実施形態によれば、専用基板２０Ｃが専用スイッチ２１ａ〜２４ａごとのフレキシブルケーブル２０ａ〜２０ｄから構成され、専用スイッチ２１ａ〜２４ａと共通基板１０Ｂとがフレキシブルケーブル２０ａ〜２０ｄを用いて接続されるので、専用基板２０Ｃが変形可能になるから、専用スイッチ２１ａ〜２４ａの数や配置を変更する場合に、可動部への配線や立体配線等の自由な設計を可能にして製造費を削減することができ、更に開発費用を削減することができる。
【００４５】
なお、本発明の構成は、前記各実施形態にのみ限定されるものではなく、本発明の要旨を逸脱しない範囲内において種々変更を加えてもよい。
【図面の簡単な説明】
【００４６】
【図１】図１は給湯システムの概略構成図
【図２】図１に示した給湯器用リモコン装置の正面図
【図３】共通基板と専用基板との接続を説明する概略構成図
【図４】共通基板と専用基板との接続を説明する概略構成図
【図５】共通基板と専用基板との他の接続例を説明する概略構成図
【図６】共通基板と専用基板との他の接続例を説明する概略構成図
【図７】共通基板と専用基板との接続を説明する概略構成図
【図８】共通基板と専用基板との他の接続例を説明する概略構成図
【図９】共通基板と専用基板との接続を説明する概略構成図
【符号の説明】
【００４７】
１０，１０Ａ，１０Ｂ…共通基板、１０ａ…コネクタのオス、２０，２０Ａ，２０Ｂ，２０Ｃ…専用基板、２０ａ〜２０ｄ…フレキシブルケーブル、１３１〜１３４…共通ボタン、１３１ａ〜１３４ａ…共通スイッチ、２１〜２４…専用ボタン、２１ａ〜２４ａ…専用スイッチ、３１，３２…ケース、１００…給湯器用リモコン装置、２００…給湯器本体。
【図１】
2008261597.tif 000003
【図２】
2008261597.tif 000004
【図３】
2008261597.tif 000005
【図４】
2008261597.tif 000006
【図５】
2008261597.tif 000007
【図６】
2008261597.tif 000008
【図７】
2008261597.tif 000009
【図８】
2008261597.tif 000010
【図９】
2008261597.tif 000011